(57)【要約】  基地局とユーザ装置とを有する無線通信システムにおけるユーザ装置であって、所定の時間区間で区切られた無線フレームのうち、周期的に設定される時間区間で送信される第一の参照信号を用いて受信品質又はチャネル情報を測定する第一の測定部と、前記所定の時間区間で区切られた無線フレームのうち、前記周期的に設定される時間区間以外の任意の時間区間で送信される第二の参照信号を用いて受信品質又はチャネル情報を測定する第二の測定部と、前記第一の参照信号を用いて測定された受信品質又はチャネル情報と、前記第二の参照信号を用いて測定された受信品質又はチャネル情報とを前記基地局に報告する報告部と、を有するユーザ装置を提供する。
2017195490.tif 000002
【特許請求の範囲】
【請求項１】
基地局とユーザ装置とを有する無線通信システムにおけるユーザ装置であって、
所定の時間区間で区切られた無線フレームのうち、周期的に設定される時間区間で送信される第一の参照信号を用いて受信品質又はチャネル情報を測定する第一の測定部と、
前記所定の時間区間で区切られた無線フレームのうち、前記周期的に設定される時間区間以外の任意の時間区間で送信される第二の参照信号を用いて受信品質又はチャネル情報を測定する第二の測定部と、
前記第一の参照信号を用いて測定された受信品質又はチャネル情報と、前記第二の参照信号を用いて測定された受信品質又はチャネル情報とを前記基地局に報告する報告部と、
を有するユーザ装置。
【請求項２】
前記第一の参照信号は、異なるアンテナポートに対応づけられる参照信号の各々が時間多重されて送信される、
請求項１に記載のユーザ装置。
【請求項３】
前記第一の参照信号は、複数の周期パターンのうちいずれかの周期パターンで送信され、前記複数の周期パターンの各々で異なる系列を用いて送信される、
請求項１又は２に記載のユーザ装置。
【請求項４】
前記第二の参照信号は、異なるアンテナポートに対応づけられる参照信号が、周波数多重、符号多重又は時間多重されて送信され、
前記第二の参照信号に対応づけられるアンテナポートは、前記第一の参照信号に対応づけられるアンテナポートとは異なる、
請求項１乃至３のいずれか一項に記載のユーザ装置。
【請求項５】
前記任意の時間区間において前記第二の参照信号が送信される無線リソースは、前記任意の時間区間において前記基地局から送信される下り制御情報で通知される、
請求項１乃至４のいずれか一項に記載のユーザ装置。
【請求項６】
基地局とユーザ装置とを有する無線通信システムにおけるユーザ装置が実行する測定方法であって、
所定の時間区間で区切られた無線フレームのうち、周期的に設定される時間区間で送信される第一の参照信号を用いて受信品質又はチャネル情報を測定するステップと、
前記所定の時間区間で区切られた無線フレームのうち、前記周期的に設定される時間区間以外の任意の時間区間で送信される第二の参照信号を用いて受信品質又はチャネル情報を測定するステップと、
前記第一の参照信号を用いて測定された受信品質又はチャネル情報と、前記第二の参照信号を用いて測定された受信品質又はチャネル情報とを前記基地局に報告するステップと、
を有する測定方法。
【発明の詳細な説明】
【技術分野】
【０００１】
本発明は、ユーザ装置及び測定方法に関する。
【背景技術】
【０００２】
ＬＴＥ（Long Term Evolution）では、システム容量の更なる大容量化、データ伝送速度の更なる高速化、無線区間における更なる低遅延化などを実現するために、５Ｇと呼ばれる無線通信方式の検討が進んでいる。５Ｇでは、１０Ｇｂｐｓ以上のスループットを実現しつつ無線区間の遅延を１ｍｓ以下にするという要求条件を満たすために、様々な無線技術の検討が行われている。５ＧではＬＴＥと異なる無線技術が採用される可能性が高いことから、３ＧＰＰでは、５Ｇをサポートする無線ネットワークを新たな無線ネットワーク（ＮｅｗＲＡＴ：New Radio Access Network）と呼ぶことで、ＬＴＥをサポートする無線ネットワークと区別している。【０００３】
５Ｇでは、ＬＴＥと同様の低い周波数帯から、ＬＴＥよりも更に高い周波数帯までの幅広い周波数を使用することが想定されている。特に、高周波数帯では伝搬ロスが増大することから、それを補うために、ビーム幅の狭いビームフォーミングを行うＭａｓｓｉｖｅＭＩＭＯ（Multi Input Multi Output）を適用することが検討されている。ＭａｓｓｉｖｅＭＩＭＯは、基地局側に多数（例：１００素子）のアンテナ素子を設置する大規模ＭＩＭＯであり、ビームフォーミングにより狭い領域に電界の強さを集中させることができるため、カバレッジを確保することが可能である。
【先行技術文献】
【非特許文献】
【０００４】
【非特許文献１】株式会社ＮＴＴドコモ、"ドコモ５Ｇホワイトペーパー"、２０１４年９月
【非特許文献２】株式会社ＮＴＴドコモ、ＮＴＴ  ＤＯＣＯＭＯテクニカルジャーナル"５Ｇ無線アクセス技術"、２０１６年１月
【発明の概要】
【発明が解決しようとする課題】
【０００５】
ＭａｓｓｉｖｅＭＩＭＯでは、多数のアンテナ素子を用いて狭いビームを生成することから、基地局は、複数のビーム候補の中から、ユーザ装置が存在する方向のビームを選択する必要がある。そのため、基地局がビーム選択を適切に行うことができるようにするため、ＬＴＥとは異なる参照信号の構成（参照信号のマッピング方法、及び送信周期など）を規定すると共に、ユーザ装置から参照信号の測定結果を適切にフィードバックさせる必要があると考えられる。【０００６】
また、ＭａｓｓｉｖｅＭＩＭＯ以外にも、５Ｇでは様々な無線技術が検討されており、例えば、ＬＴＥとは異なる様々なサブキャリア間隔をサポートすることが検討されている。また、５Ｇでは、ダイナミックＴＤＤ（Time Division Duplex）をサポートし、サブフレームの用途（ＤＬ用、ＵＬ用など）を様々に変更可能なフレキシブルサブフレーム（Flexible subframe）を導入することが検討されている。従って、ビームフォーミングを踏まえた参照信号の構成及びフィードバック方法を規定する際に、これらの様々な無線技術の導入を考慮しておく必要がある。【０００７】
開示の技術は上記に鑑みてなされたものであって、ユーザ装置が参照信号を測定し、測定結果を基地局にフィードバックすることが可能な技術を提供することを目的とする。
【課題を解決するための手段】
【０００８】
開示の技術のユーザ装置は、基地局とユーザ装置とを有する無線通信システムにおけるユーザ装置であって、所定の時間区間で区切られた無線フレームのうち、周期的に設定される時間区間で送信される第一の参照信号を用いて受信品質又はチャネル情報を測定する第一の測定部と、前記所定の時間区間で区切られた無線フレームのうち、前記周期的に設定される時間区間以外の任意の時間区間で送信される第二の参照信号を用いて受信品質又はチャネル情報を測定する第二の測定部と、前記第一の参照信号を用いて測定された受信品質又はチャネル情報と、前記第二の参照信号を用いて測定された受信品質又はチャネル情報とを前記基地局に報告する報告部と、を有する。
【発明の効果】
【０００９】
開示の技術によれば、ユーザ装置が参照信号を測定し、測定結果を基地局にフィードバックすることが可能な技術が提供される。
【図面の簡単な説明】
【００１０】
【図１Ａ】５Ｇで検討されているＭａｓｓｉｖｅＭＩＭＯ基地局の構成の一例を示す図である。
【図１Ｂ】５Ｇで検討されているＭａｓｓｉｖｅＭＩＭＯ基地局の構成の一例を示す図である。
【図２】５Ｇで検討されている無線フレーム構成の一例を示す図である。
【図３】５Ｇで検討されている無線パラメータの一例を示す図である。
【図４】実施の形態に係る無線通信システムの構成の一例を示す図である。
【図５】実施の形態に係る無線通信システムが行う処理手順の一例を示すシーケンス図である。
【図６】第一のＲＳのマッピング例を示す図である。
【図７】第一のＲＳのマッピング例を示す図である。
【図８】第一のＲＳがマッピングされないリソースの用途を説明するための図である。
【図９】同期信号を兼ねる第一のＲＳのマッピング例を示す図である。
【図１０】第一のＲＳの送信周期の一例を示す図である。
【図１１】第一のＲＳの送信周期の一例を示す図である。
【図１２】第二のＲＳのマッピング例を示す図である。
【図１３】第二のＲＳのマッピング例を示す図である。
【図１４】第二のＲＳのマッピング例を示す図である。
【図１５】第二のＲＳのマッピング例を示す図である。
【図１６】データチャネルを含む時間区間に第二のＲＳが多重される場合のマッピング例を示す図である。
【図１７】データチャネルを含む時間区間に第二のＲＳが多重される場合のマッピング例を示す図である。
【図１８】データチャネルを含む時間区間に第二のＲＳが多重される場合のマッピング例を示す図である。
【図１９】データチャネルを含む時間区間に第二のＲＳが多重される場合のマッピング例を示す図である。
【図２０】第二のＲＳがマッピングされないリソースの用途を説明するための図である。
【図２１】第二のＲＳの送信周期の一例を示す図である。
【図２２】第二のＲＳの送信周期の一例を示す図である。
【図２３】第二のＲＳの送信周期の一例を示す図である。
【図２４】第二のＲＳの送信周期の一例を示す図である。
【図２５】動作例を説明するための図である。
【図２６】実施の形態に係る基地局の機能構成の一例を示す図である。
【図２７】実施の形態に係るユーザ装置の機能構成の一例を示す図である。
【図２８】実施の形態に係る基地局及びユーザ装置のハードウェア構成の一例を示す図である。
【発明を実施するための形態】
【００１１】
以下、図面を参照して本発明の実施の形態を説明する。なお、以下で説明する実施の形態は一例に過ぎず、本発明が適用される実施の形態は、以下の実施の形態に限られるわけではない。例えば、本実施の形態に係る無線通信システムはＬＴＥ及び５Ｇに準拠した方式のシステムを想定しているが、本発明はＬＴＥ及び５Ｇに限定されるわけではなく、他の方式にも適用可能である。なお、本明細書及び特許請求の範囲において、「ＬＴＥ」は、３ＧＰＰのリリース８、又は９に対応する通信方式のみならず、３ＧＰＰのリリース１０、１１、１２、１３、又はリリース１４以降に対応する第５世代の通信方式も含む広い意味で使用する。
【００１２】
以下の説明において、１つのアンテナポートは、ビームフォーミングで形成される任意の１つのビームに対応する場合がある。その意味で、ビームはアンテナポートと呼ばれてもよい。
【００１３】
＜ＭａｓｓｉｖｅＭＩＭＯ基地局の構成について＞
ここで、図１Ａ、図１Ｂを用いて、５Ｇで検討されているＭａｓｓｉｖｅＭＩＭＯ対応の基地局の構成について説明する。
【００１４】
一般的に、ＭａｓｓｉｖｅＭＩＭＯ基地局は、送信アンテナ素子数と同じ数のＤＡＣ（Digital Analog Converter）及びアップコンバーターを備えると共に、ベースバンド信号処理におけるＩＦＦＴ（Inverse Fast Fourier Transform）及びＣＰ（Cyclic Prefix）の挿入を送信アンテナ素子の数だけ行う。このようなＭａｓｓｉｖｅＭＩＭＯ基地局は、フルデジタル型のＭａｓｓｉｖｅＭＩＭＯ基地局（図１Ａ）と呼ばれる。
【００１５】
フルデジタル型のＭａｓｓｉｖｅＭＩＭＯ基地局は、無線回路数が膨大になることから高コストである。そこで、ビームフォーミング（ＢＦ：Beam Forming）処理のみをＲＦ（Radio Frequency）回路内の可変移相器で実現し、ＢＦ処理を全サブキャリアで共通化するように無線回路を構成する、ハイブリッド型のＭａｓｓｉｖｅＭＩＭＯ基地局（図１Ｂ）が検討されている。ハイブリッド型のＭａｓｓｉｖｅＭＩＭＯ基地局ではＢＦ処理をアナログ回路で行うため、ＤＡＣ及びアップコンバーターを同時に送信するビーム数分だけ用意すればよく、デジタル回路によるベースバンド信号処理においてもＩＦＦＴ及びＣＰの挿入をビーム数分だけ行うようにすればよい。そのため、ハイブリッド型のＭａｓｓｉｖｅＭＩＭＯ基地局は、フルデジタル型のＭａｓｓｉｖｅＭＩＭＯ基地局よりもコストを低減することが可能である。
【００１６】
また、更に簡易なＭａｓｓｉｖｅＭＩＭＯ基地局として、アナログ回路によるアナログＢＦのみを用いるアナログ型のＭａｓｓｉｖｅＭＩＭＯ基地局も検討されている。アナログ型のＭａｓｓｉｖｅＭＩＭＯ基地局は、デジタルプリコーディング処理が不要であるため、ベースバンド処理を行う回路を簡略化できるというメリットがあるが、ある時刻では１つのビームしか形成することができない。
【００１７】
＜５Ｇで検討されている無線フレーム構成＞
次に、５Ｇで検討されている無線フレーム構成について説明する。５Ｇでも、ＬＴＥと同様に、時間軸を所定の時間区間（サブフレーム）で区切った無線フレーム構成が用いられる想定である。５Ｇでは、ダイナミックＴＤＤをサポートし、サブフレームの用途（ＤＬ用、ＵＬ用など）を様々に変更可能なフレキシブルサブフレーム（Flexible subframe）を導入することが検討されている。
【００１８】
図２は、５Ｇで検討されている無線フレーム構成の一例を示す図である。図２に示すように、フレキシブルサブフレームは、サブフレームの先頭にマッピングされるＤＬ制御チャネル（DL Control）に、サブフレームの用途（ＤＬデータ／ＵＬデータ／参照信号／Ｄ２Ｄデータなど）を示す情報を含めることで、サブフレームの用途を様々に切替えることができる。フレキシブルサブフレームは、主に、特定のユーザ装置ＵＥ向けの信号又はデータ信号を送受信する（ユニキャスト／マルチキャスト）ために用いられる想定で検討されている。
【００１９】
また、同期信号及び報知情報など、主に、ユーザ装置ＵＥが初期接続などのために共通に受信すべき信号を送信する（ブロードキャスト）ための周期的なサブフレームとして、予め定められた所定の周期で固定サブフレーム（Fixed DL subframe）を設定することが検討されている。固定サブフレームは、フレキシブルサブフレームよりも比較的長い周期で設定される想定で検討されている。
【００２０】
＜５Ｇで検討されている無線パラメータについて＞
続いて、５Ｇで検討されている無線パラメータについて説明する。５Ｇでは、１０Ｇｂｐｓ以上の伝送レートを実現するため、数百ＭＨｚから１ＧＨｚ以上の広帯域化に加えて、高い周波数がサポートされる予定である。そこで、図３に示すように、サブキャリア間隔及びシンボル長といった無線パラメータを様々に変更可能にすることが検討されている。図３の右側の例は、図３の左側の例よりも高い周波数のキャリアに適用されることが想定されており、サブキャリア間隔を広げることで位相雑音への耐性を高め、代わりにＯＦＤＭシンボル長を短くすることができる。
【００２１】
＜システム構成、概要＞
図４は、実施の形態に係る無線通信システムの構成の一例を示す図である。図４に示すように、実施の形態に係る無線通信システムは、基地局１とユーザ装置ＵＥとを有する。図４には、基地局１とユーザ装置ＵＥが１つずつ示されているが、これは例であり、それぞれ複数あってもよい。
【００２２】
ユーザ装置ＵＥは、基地局１と通信する機能を有しており、基地局１から送信される参照信号（以下、「ＲＳ（Reference Signal）と記載する）を用いて、ＤＬの受信品質及び／又はチャネル情報を測定して基地局１に報告する機能を有する。
【００２３】
基地局１は、ＭａｓｓｉｖｅＭＩＭＯをサポートし、ビームフォーミングを行うことでユーザ装置ＵＥと通信する機能を有する。また、基地局１は、ユーザ装置ＵＥから報告された受信品質及び／又はチャネル情報に基づいて、通信に用いる適切なビームを選択する機能を有する。基地局１は、前述のフルデジタル型のＭａｓｓｉｖｅＭＩＭＯ基地局であってもよいし、ハイブリッド型のＭａｓｓｉｖｅＭＩＭＯ基地局であってもよいし、アナログ型のＭａｓｓｉｖｅＭＩＭＯ基地局であってもよい。なお、本実施の形態に係る基地局１は、必ずしもＭａｓｓｉｖｅＭＩＭＯをサポートしている必要はない。本実施の形態は、ＭａｓｓｉｖｅＭＩＭＯをサポートしない基地局であってもよい。
【００２４】
基地局１及びユーザ装置ＵＥは、ＬＴＥ及び５ＧのＮｅｗＲＡＴの両方をサポートしていてもよいし、５ＧのＮｅｗＲＡＴのみをサポートしていてもよい。
【００２５】
基地局１及びユーザ装置ＵＥは、図２で説明した無線フレーム構成をサポートしており、基地局１及びユーザ装置ＵＥは、フレキシブルサブフレーム及び固定サブフレームを用いて通信を行うことが可能である。また、基地局１及びユーザ装置ＵＥは、図３を用いて説明した様々な無線パラメータをサポートすることが可能である。
【００２６】
＜処理手順＞
続いて、本実施の形態に係る基地局１及びユーザ装置ＵＥが行う処理手順について説明する。
【００２７】
図５は、実施の形態に係る無線通信システムが行う処理手順の一例を示すシーケンス図である。本実施の形態では、ＲＳとして、第一のＲＳと第二のＲＳを用いる。第一のＲＳと第二のＲＳは、それぞれ異なる系列を用いて生成されてもよいし、同一の系列を用いて生成されてもよい。
【００２８】
まず、基地局１は、固定サブフレームで第一のＲＳを送信する（Ｓ１１）。具体的には後述するが、第一のＲＳは、異なるアンテナポートに対応づけられるＲＳの各々が時間多重（ＴＤＭ）されて送信されるＲＳ群である。なお、以下の説明において、当該ＲＳ群に含まれるＲＳの各々についても、「第一のＲＳ」と呼ぶことがある。
【００２９】
ユーザ装置ＵＥは、固定サブフレームで受信した第一のＲＳを用いてＤＬの受信品質及び／又はチャネル状態を測定して基地局１に報告する（Ｓ１２）。より具体的には、ユーザ装置ＵＥは、各アンテナポートに対応づけられる第一のＲＳごとにＤＬの受信品質及び／又はチャネル状態を測定して基地局１に報告する。なお、ユーザ装置ＵＥは、標準規定により、基地局１からの明示的な通知により、又は暗示的方法により、第一のＲＳがマッピングされる無線リソースの位置（第一のＲＳのマッピングパターン）及び第一のＲＳの系列等を把握している前提である。
【００３０】
続いて、基地局１は、ユーザ装置ＵＥから報告された、各アンテナポートに対応づけられる第一のＲＳごとの受信品質及び／又はチャネル状態に基づいて、ユーザ装置ＵＥに送信すべき第二のＲＳを選択し、選択した第二のＲＳを、フレキシブルサブフレームで送信する（Ｓ１３）。具体的には後述するが、第二のＲＳは、第一のＲＳに対応づけられるアンテナポートとは異なるアンテナポートに対応づけられるＲＳ群である。なお、以下の説明において、当該ＲＳ群に含まれるＲＳの各々についても、「第二のＲＳ」と呼ぶことがある。第二のＲＳは、第一のＲＳとは異なり、周波数多重（ＦＤＭ）、符号多重（ＣＤＭ）又は時間多重（ＴＤＭ）を用いて様々に多重されて送信される。
【００３１】
続いて、ユーザ装置ＵＥは、フレキシブルサブフレームで受信した第二のＲＳを用いてＤＬの受信品質及び／又はチャネル状態を測定して基地局１に報告する（Ｓ１４）。より具体的には、ユーザ装置ＵＥは、各アンテナポートに対応づけられる第二のＲＳごとにＤＬの受信品質及び／又はチャネル状態を測定して基地局１に報告する。なお、ユーザ装置ＵＥは、標準規定により、基地局１からの明示的な通知により、又は暗示的方法により、第二のＲＳがマッピングされる無線リソースの位置（第二のＲＳのマッピングパターン）及び第二のＲＳの系列等を予め把握している前提である。
【００３２】
続いて、基地局１は、ユーザ装置ＵＥから報告された、各アンテナポートに対応づけられる第二のＲＳごとの受信品質及び／又はチャネル状態に基づいて、ユーザ装置ＵＥとの通信に用いるのに適切なビームを選択し、選択したビームを用いてユーザ装置ＵＥと通信を行う。
【００３３】
＜第一のＲＳについて＞
（第一のＲＳのマッピングパターン例について）
続いて、各アンテナポートに対応する第一のＲＳがマッピングされる無線リソースの位置を示す、第一のＲＳのマッピングパターンについて具体的に説明する。前述のように、第一のＲＳは固定サブフレームで送信される。つまり、第一のＲＳは、セル内の全ユーザ装置ＵＥに対して共通に送信（ブロードキャスト）される。
【００３４】
図６は、第一のＲＳのマッピング例を示す図である。図６に示す１つのグリッド（図７〜図９も同様）は、１つのサブキャリア及び１つのシンボルで構成される無線リソース（ＬＴＥのリソースエレメントに相当）を意図しているが、必ずしもこれに限られない。図６に示す１つのグリッドの時間軸は複数のシンボルであってもよいし１つのサブフレームであってもよい。なお、１つのグリッドの時間軸がサブフレームである場合、第一のＲＳは複数のサブフレームで連続して送信されることになるため、固定サブフレームも同様に複数のサブフレームで連続することになる。また、図６に示す１つのグリッドの周波数軸は複数のサブキャリアであってもよいし１又は複数のＲＢ（リソースブロック）であってもよいし、他の単位であってもよい。
【００３５】
第一のＲＳは、各アンテナポート（図６の例ではアンテナポート＃１〜＃８）に対応するＲＳが時間多重（ＴＤＭ）されて送信される。つまり、基地局１は、時間の経過に応じて、アンテナポートを順に切替えながら第一のＲＳを送信する。これは、基地局１が、アナログビームフォーミングで送信するビーム方向（位相）を時間の経過に応じて順に切替えながら、各ビームに対応する第一のＲＳを送信することを想定しているためである。なお、ハイブリッド型のＭａｓｓｉｖｅＭＩＭＯ基地局及びフルデジタル型のＭａｓｓｉｖｅＭＩＭＯ基地局の場合、ある時刻で複数のビームを生成することができる。従って、第一のＲＳは、アンテナポート毎に完全に時間多重されて送信される場合に限られず、ある時刻で複数のアンテナポートに対応するＲＳが周波数多重されてもよい。なお、各ユーザ装置ＵＥは、ビームフォーミングの形態がいずれの構成であるかを認識する必要はない。
【００３６】
図６（ａ）の例では、同一のアンテナポートに対応するＲＳが同期信号の上下のリソースに周波数多重されてマッピングされる例を示しており、図６（ｂ）の例では、同一のアンテナポートに対応するＲＳが同期信号の上下のリソースに、同期信号とは所定の周波数ずれた位置に周波数多重されてマッピングされる例を示している。なお、同期信号は、ＬＴＥと同様、システム帯域幅の中心で送信されることを想定しているが、必ずしもこれに限られない。本実施の形態は、同期信号がシステム帯域幅の中心からずれた位置で送信される場合にも適用できる。なお、同一の時刻において、同期信号が送信されるアンテナポートと第一のＲＳが送信されるアンテナポートは同一であってもよい。例えば、アンテナポート＃１で第一のＲＳが送信される時刻で送信される同期信号は、アンテナポート＃１から送信される同期信号であってもよい。
【００３７】
ある時刻において、第一のＲＳのマッピングパターンは、送信周期毎に変化する（シフトする）ようにしてもよい。例えば、各送信周期において第一のＲＳのマッピングされる順序を、送信周期毎に変化する（シフトする）所定のインデックス値から算出可能にすることで実現することができる。所定のインデックス値は、例えば、サブフレーム番号及び／又はＳＦＮ（System Frame Number）であってもよい。
【００３８】
また、ある時刻において、第一のＲＳのマッピングパターンは、セル間で同一になるようにしてもよいし異なるようにしてもよい。第一のＲＳのマッピングパターンがセル間で異なる場合の例を図７に示す。図７（ａ）はセル＃１におけるマッピング例を示しており、図７（ｂ）は、セル＃２におけるマッピング例を示している。ある時刻において、第一のＲＳのマッピングパターンがセル間で異なるようにする場合、例えば、各送信周期において第一のＲＳがマッピングされる無線リソースの位置を、送信周期毎に変化する（シフトする）所定のインデックス値及びセルＩＤから算出可能にすることで実現することができる。
【００３９】
また、図８に示すように、第一のＲＳがマッピングされないリソースはブランク（つまり、無線信号が送信されないリソース）としてもよい。この場合、基地局１は、ブランクのリソースを設けることで余った送信電力を第一のＲＳの送信に用いることで、第一のＲＳの送信電力をブーストするようにしてもよい。また、ユーザ装置ＵＥは、ブランクのリソースでは干渉波の推定を行うようにしてもよい。ブランクのリソースをセル間で異なる位置に設定しておくことで、ユーザ装置ＵＥは、ブランクのセルでは他セルからの干渉波を測定することが可能になる。
【００４０】
第一のＲＳは、同期信号の役割も兼ねるようにしてもよい。この場合の第一のＲＳのマッピング例を図９に示す。この場合、第一のＲＳをシステム帯域幅の中心にマッピングすることが可能になると共に、主に基地局１側で同期信号と第一のＲＳの両方を送信する必要がなくなるため、基地局１側の処理のオーバーヘッドを削減することができる。
【００４１】
（第一のＲＳの送信周期について）
第一のＲＳの送信周期は、標準仕様で規定されていてもよいし、報知情報又はユーザ装置ＵＥ個別のシグナリングメッセージ（例えばＲＲＣメッセージ）を用いて基地局１からユーザ装置ＵＥに通知（設定）されるようにしてもよい。また、ＭＡＣシグナリング又はＰＨＹ（物理レイヤ）シグナリングで基地局１からユーザ装置ＵＥに通知（設定）されるようにしてもよい。
【００４２】
基地局１は、固定サブフレームの全部ではなく一部のみで第一のＲＳを送信することで第一のＲＳの送信周期を変更するようにしてもよいし、固定サブフレームの送信間隔を変更することで、第一のＲＳの送信周期を変更するようにしてもよい。
【００４３】
第一のＲＳの送信周期は、キャリア周波数、サブキャリア間隔、及び／又は、キャリアで想定しているユーザ装置ＵＥの平均移動速度などに応じて設定されるようにしてもよい。図１０は、キャリア周波数が３０ＧＨｚであるキャリアと、キャリア周波数が６ＧＨｚであるキャリアで、異なる送信周期が設定される場合の例を示している。この場合、ユーザ装置ＵＥは、基地局１からの通知（設定）により第一のＲＳの送信周期を認識するようにしてもよいし、システム帯域幅又はキャリア周波数等に基づいて暗示的に認識するようにしてもよい。
【００４４】
また、基地局１は、第一のＲＳの送信周期を、例えばある期間では１０ｍｓ、次の期間では５ｍｓ周期というように、送信周期をダイナミックに変更するようにしてもよいし、所定のトリガを契機に準静的に変更するようにしてもよい。この場合、基地局１は、どの期間ではどの送信周期が適用されるのかを予めユーザ装置ＵＥに通知しておくようにしてもよいし、変更後の送信周期を、報知情報又はユーザ装置ＵＥ個別のシグナリングメッセージ（例えばＲＲＣメッセージ）を用いてユーザ装置ＵＥに設定するようにしてもよい。
【００４５】
また、図１１に示すように、第一のＲＳの送信周期として予め複数の周期パターンを規定しておき、基地局１は、いずれかの周期パターンで第一のＲＳを送信するようにしてもよい。この場合、どの周期パターンで第一のＲＳが送信されているのかをユーザ装置ＵＥ側でブラインド検出できるようにするため、例えば、第一のＲＳは、複数の周期パターンの各々で異なる系列を用いて送信されるようにしてもよい。これにより、ユーザ装置ＵＥは、第一のＲＳの系列を特定することで、どの周期パターンで第一のＲＳが送信されているのかをブラインド検出することができる。
【００４６】
（第一のＲＳのマッピングパターンの設定について）
第一のＲＳのマッピングパターンは、標準仕様で規定されていてもよいし、報知情報又はユーザ装置ＵＥ個別のシグナリングメッセージ（例えばＲＲＣメッセージ）を用いて基地局１からユーザ装置ＵＥに通知（設定）されるようにしてもよい。また、ＭＡＣシグナリング又はＰＨＹ（物理レイヤ）シグナリングで基地局１からユーザ装置ＵＥに通知（設定）されるようにしてもよい。第一のＲＳの系列についても、標準仕様で規定されていてもよいし、報知情報又はユーザ装置ＵＥ個別のシグナリングメッセージ（例えばＲＲＣメッセージ）を用いて基地局１からユーザ装置ＵＥに通知（設定）されるようにしてもよい。また、ＭＡＣシグナリング又はＰＨＹ（物理レイヤ）シグナリングで基地局１からユーザ装置ＵＥに通知（設定）されるようにしてもよい。
【００４７】
マッピングパターンは、キャリア周波数、サブキャリア間隔、及び／又は、キャリアで想定しているユーザ装置ＵＥの平均移動速度などに応じて異なるマッピングパターンが設定されるようにしてもよい。
【００４８】
また、基地局１は、マッピングパターンを、例えばある期間ではマッピングパターンＡ、次の期間ではマッピングパターンＢというように、マッピングパターンをダイナミックに変更するようにしてもよいし、所定のトリガを契機に準静的に変更するようにしてもよい。この場合、基地局１は、どの期間ではどのマッピングパターンが適用されるのかを予めユーザ装置ＵＥに通知しておくようにしてもよいし、変更後のマッピングパターンを、報知情報又はユーザ装置ＵＥ個別のシグナリングメッセージ（例えばＲＲＣメッセージ）を用いてユーザ装置ＵＥに設定するようにしてもよい。
【００４９】
また、第一のＲＳのマッピングパターンとして予め複数のマッピングパターンを規定しておき、基地局１は、いずれかのマッピングパターンで第一のＲＳを送信するようにしてもよい。この場合、どのマッピングパターンで第一のＲＳが送信されているのかをユーザ装置ＵＥ側でブラインド検出できるようにするため、例えば、第一のＲＳは、複数のマッピングパターンの各々で異なる系列を用いて送信されるようにしてもよい。これにより、ユーザ装置ＵＥは、第一のＲＳの系列を特定することで、どのマッピングパターンで第一のＲＳが送信されているのかをブラインド検出することができる。
【００５０】
（測定結果の報告について）
図５のステップＳ１２の処理手順において、ユーザ装置ＵＥは、各アンテナポートに対応づけられる第一のＲＳごとにＤＬの受信品質及び／又はチャネル状態を測定し、上りリンク制御チャネル（上りリンク制御情報）を用いて基地局１に報告する。ユーザ装置ＵＥは、全てのアンテナポート分の測定結果をまとめて基地局１に報告するようにしてもよいし、測定が完了したアンテナポート毎に適宜報告するようにしてもよい。なお、受信品質は、ＲＳＲＱ、ＲＳＲＰ、ＲＳＳＩ又はＳＩＮＲであってもよいし、これらの一部又は全部であってもよい。
【００５１】
また、ユーザ装置ＵＥは、全てのアンテナポートに対応する測定結果を全て基地局１に報告するのではなく、一部のアンテナポートに対応する測定結果のみを基地局１に報告するようにしてもよい。この場合、報告対象のアンテナポートは、基地局１から明示的にユーザ装置ＵＥに指示するようにしてもよいし、ユーザ装置ＵＥ自身で報告対象のアンテナポートを選択するようにしてもよい。後者の場合、ユーザ装置ＵＥは、受信品質が所定の閾値以上であるアンテナポートに絞って受信品質を報告するようにしてもよい。
【００５２】
また、ユーザ装置ＵＥは、所定の時間区間における測定結果の平均値を基地局１に報告するようにしてもよい。例えば、第一のＲＳが１０ｍｓ周期で送信されている場合において、所定の時間区間が３０ｍｓである場合、ユーザ装置ＵＥは、各アンテナポートに対応づけられる第一のＲＳごとにＤＬの受信品質及び／又はチャネル状態を３周期に渡って測定し、測定したアンテナポートごとの受信品質及び／又はチャネル状態の平均値を、アンテナポートごとに基地局１に報告する。
【００５３】
所定の時間区間の長さは、標準仕様で規定されていてもよいし、報知情報又はユーザ装置ＵＥ個別のシグナリングメッセージ（例えばＲＲＣメッセージ）を用いて基地局１からユーザ装置ＵＥに通知（設定）されるようにしてもよい。また、ＭＡＣシグナリング又はＰＨＹ（物理レイヤ）シグナリングで基地局１からユーザ装置ＵＥに通知（設定）されるようにしてもよい。
【００５４】
また、所定の時間区間の長さは、キャリア周波数、サブキャリア間隔、キャリアで想定しているユーザ装置ＵＥの平均移動速度などに応じて異なる時間区間の長さが設定されるようにしてもよい。
【００５５】
また、所定の時間区間の長さは、例えばある期間では「３０ｍｓ」、次の期間では「５０ｍｓ」というようにダイナミックに変更されるようにしてもよいし、所定のトリガを契機に準静的に変更されるようにしてもよい。
【００５６】
また、所定の時間区間の長さとして予め複数のパターンを規定しておき、どのパターンで測定結果を平均して報告するのかをユーザ装置ＵＥ側でブラインド検出できるようにしてもよい。例えば、第一のＲＳは、複数のパターンの各々で異なる系列を用いて送信されるようにしてもよい。これにより、ユーザ装置ＵＥは、第一のＲＳの系列を特定することで、どのパターンで測定結果を平均して報告するのかをブラインド検出することができる。
【００５７】
また、測定結果を平均する所定の時間区間の長さをユーザ装置ＵＥが自ら選択するようにしてもよい。また、ユーザ装置ＵＥが報告対象のアンテナポート／所定の時間区間を自ら選択する場合、固定サブフレームで送信される同期信号を用いて受信品質を測定することで、第一のＲＳを測定するアンテナポートを予め絞っておくようにしてもよい。なお、この場合、同期信号は各アンテナポートに対応づけられて送信されている必要がある。
【００５８】
＜第二のＲＳについて＞
（第二のＲＳのマッピングパターン例について）
続いて、各アンテナポートに対応する第二のＲＳがマッピングされる無線リソースの位置を示す、第二のＲＳのマッピングパターンについて具体的に説明する。前述のように、第二のＲＳはフレキシブルサブフレームで送信される。第二のＲＳは、各ユーザ装置ＵＥに対して個別に送信（ユニキャスト）されてもよいし、セル内の全ユーザ装置ＵＥに対して共通に送信（ブロードキャスト）されてもよい。
【００５９】
図１２は、第二のＲＳのマッピング例を示す図である。第二のＲＳは、単位領域内で、第一のＲＳとは異なる各アンテナポート（図１２の例ではアンテナポート＃９〜＃１６）に対応するＲＳが周波数多重（ＦＤＭ）、符号多重（ＣＤＭ）及び／又は時間多重（ＴＤＭ）されて送信される。なお、単位領域は、周波数方向に１ＲＢ及び時間方向に１ＴＴＩで囲まれる領域を想定しているが、これに限定されるわけではなく、周波数方向に複数ＲＢ、時間方向に複数ＴＴＩの場合もあり得る。図１２（ａ）は、第二のＲＳが周波数多重される場合、図１２（ｂ）は、第二のＲＳが周波数多重及び符号多重される場合、図１２（ｃ）は、第二のＲＳが周波数多重及び時間多重される場合、図１２（ｄ）は、図１２（ｃ）に示す第二のＲＳが複数時間多重される場合を示している。
【００６０】
ある時刻において、第二のＲＳのマッピングパターンは、送信周期毎に変化する（シフト）するようにしてもよい。例えば、各送信周期において第二のＲＳのマッピングされる順序を、送信周期毎に変化する（シフトする）所定のインデックス値から算出可能にすることで実現することができる。所定のインデックス値は、例えば、サブフレーム番号及び／又はＳＦＮ（System Frame Number）であってもよい。
【００６１】
また、ある時刻において、第二のＲＳのマッピングパターンは、セル間で同一になるようにしてもよいし異なるようにしてもよい。各送信周期において各アンテナポートに対応する第二のＲＳがマッピングされる順序がセル間で異なる場合の例を図１３に示す。図１３（ａ）はセル＃１におけるマッピング例を示しており、図１３（ｂ）は、セル＃２におけるマッピング例を示している。ある時刻において、第二のＲＳのマッピングパターンがセル間で異なるようにする場合、例えば、各送信周期において第二のＲＳがマッピングされる無線リソースの位置を、送信周期毎に変化する（シフトする）所定のインデックス値及びセルＩＤから算出可能にすることで実現することができる。
【００６２】
また、第二のＲＳのマッピングパターンは、セル内で共通であってもよいし、各ユーザ装置ＵＥで異なるようにしてもよい。図１４は、第二のＲＳのマッピングパターンがセル内で共通である場合を示しており、図１４（ａ）はユーザ装置ＵＥ＃１向けの第二のＲＳのマッピングパターン、図１４（ｂ）はユーザ装置ＵＥ＃２向けの第二のＲＳのマッピングパターンを示している。図１５は、第二のＲＳのマッピングパターンが各ユーザ装置ＵＥで異なる場合を示しており、図１５（ａ）はユーザ装置ＵＥ＃１向けの第二のＲＳのマッピングパターン、図１５（ｂ）はユーザ装置ＵＥ＃２向けの第二のＲＳのマッピングパターン、図１５（ｃ）はユーザ装置ＵＥ＃３向けの第二のＲＳのマッピングパターンを示している。
【００６３】
フレキシブルサブフレームにおいて、第二のＲＳがマッピングされる単位領域では、第二のＲＳのみが送信されてもよいし、第二のＲＳと下りデータチャネルとが多重されていてもよい。第二のＲＳと下りデータチャネルとが多重される場合、図１６（ａ）に示すように、当該領域において、データチャネルがマッピングされるシンボルと第二のＲＳがマッピングされるシンボルとが明確に区別されていてもよいし、図１６（ｂ）に示すように混在していてもよい。第二のＲＳと下りデータチャネルとが多重される場合、第二のＲＳは、単位領域内の複数のシンボルのうち後半のシンボル、例えば、少なくとも最後のシンボルに第二のＲＳがマッピングされるようにしてもよい。これにより、ユーザ装置ＵＥはデータチャネルの復号を第二のＲＳの測定よりも先に行うことが可能になり、ＤＬの伝送遅延を短縮することが可能になる。
【００６４】
ここで、第二のＲＳがマッピングされる単位領域が下りデータチャネルと多重される場合、下りデータチャネルにマッピングされる復調用ＲＳ（ＤＭＲＳ）のリソース位置と、第二のＲＳがマッピングされるリソース位置とが重複する場合が想定される。そこで、本実施の形態では、そもそも重複が生じないように、復調用ＲＳのリソース位置及び第二のＲＳのリソース位置が分離されて規定されていてもよいし、重複を許容しつつ重複時は所定の規則によりＲＳのマッピング方法が変更されるようにしてもよい。なお、重複時の変更規則は予め規定されても良いし、シグナリングで通知しても良い。シグナリングは複数の変更規則をインデックス化し、その値を通知する方法でも良い。
【００６５】
図１７は、復調用ＲＳのリソース位置及び第二のＲＳのリソース位置が重複する場合に、第二のＲＳの位置をシフトさせる場合の例を示している。図１８は、復調用ＲＳのリソース位置及び第二のＲＳのリソース位置が重複する場合に、復調用ＲＳの位置をシフトさせる場合の例を示している。図１９は、復調用ＲＳのリソース位置及び第二のＲＳのリソース位置が重複する場合に、第二のＲＳの送信を優先させ、復調用ＲＳを送信しない（ドロップする）場合の例を示している。なお、復調用ＲＳのリソース位置及び第二のＲＳのリソース位置が重複する場合に、復調用ＲＳの送信を優先させ、第二のＲＳを送信しない（ドロップする）ようにしてもよい。また、基地局１は、復調用ＲＳ又は第二のＲＳをドロップする処理を行う場合、パンクチャリングにより行うようにしてもよい。
【００６６】
また、図２０に示すように、第二のＲＳがマッピングされる単位領域の所定のシンボルにおいて、第二のＲＳがマッピングされないリソースはブランク（つまり、無線信号が送信されないリソース）としてもよい。この場合、基地局１は、ブランクのリソースを設けることで余った送信電力を第二のＲＳの送信に用いることで、第二のＲＳの送信電力をブーストするようにしてもよいし、データチャネルを割当てるようにしてもよい。また、ユーザ装置ＵＥは、ブランクのリソースでは干渉波の推定を行うようにしてもよい。ブランクのリソースをセル間で異なる位置に設定しておくことで、ユーザ装置ＵＥは、ブランクのセルでは他セルからの干渉波を測定することが可能になる。
【００６７】
（第二のＲＳの送信周期について）
第二のＲＳの送信周期は、図２１に示すように、セル内で共通（ブロードキャスト送信）であってもよいし、図２２に示すように、各ユーザ装置ＵＥで異なる（ユニキャスト送信）ようにしてもよい。
【００６８】
第二のＲＳの送信周期は、標準仕様で規定されていてもよいし、報知情報又はユーザ装置ＵＥ個別のシグナリングメッセージ（例えばＲＲＣメッセージ）を用いて基地局１からユーザ装置ＵＥに通知（設定）されるようにしてもよい。また、ＭＡＣシグナリング又はＰＨＹ（物理レイヤ）シグナリングで基地局１からユーザ装置ＵＥに通知（設定）されるようにしてもよい。
【００６９】
第二のＲＳの送信周期は、キャリア周波数、サブキャリア間隔、キャリアで想定しているユーザ装置ＵＥの平均移動速度などに応じて設定されるようにしてもよい。図２３は、キャリア周波数が３０ＧＨｚであるキャリアと、キャリア周波数が６ＧＨｚであるキャリアで、異なる送信周期が設定される場合の例を示している。この場合、ユーザ装置ＵＥは、基地局１からの通知（設定）により第二のＲＳの送信周期を認識するようにしてもよいし、システム帯域幅又はキャリア周波数等に基づいて暗示的に認識するようにしてもよい。暗示的に認識する場合はシグナリングを削減することで周波数利用効率を高めることが可能となる。
【００７０】
また、基地局１は、第二のＲＳの送信周期を、例えばある期間では１０ｍｓ、次の期間では５ｍｓ周期というように、送信周期をダイナミックに変更するようにしてもよいし、所定のトリガを契機に準静的に変更するようにしてもよい。この場合、基地局１は、どの期間ではどの送信周期が適用されるのかを予めユーザ装置ＵＥに通知しておくようにしてもよいし、変更後の送信周期を、報知情報又はユーザ装置ＵＥ個別のシグナリングメッセージ（例えばＲＲＣメッセージ）を用いてユーザ装置ＵＥに設定するようにしてもよい。
【００７１】
また、図２４に示すように、第二のＲＳの送信周期として予め複数の周期パターンを規定しておき、基地局１は、いずれかの周期パターンで第二のＲＳを送信するようにしてもよい。この場合、どの周期パターンで第二のＲＳが送信されているのかをユーザ装置ＵＥ側でブラインド検出できるようにするため、例えば、第二のＲＳは、複数の周期パターンの各々で異なる系列を用いて送信されるようにしてもよい。これにより、ユーザ装置ＵＥは、第二のＲＳの系列を特定することで、どの周期パターンで第二のＲＳが送信されているのかをブラインド検出することができる。
【００７２】
また、基地局１は、第二のＲＳを、ユーザ装置ＵＥに第二のＲＳの測定をさせる際に送信するようにしてもよい。この場合、フレキシブルサブフレームで送信する物理レイヤシグナリングを用いて、ユーザ装置ＵＥに、第二のＲＳの測定をユーザ装置ＵＥに指示するようにしてもよい。つまり、ユーザ装置ＵＥは、図５のステップＳ１４の処理手順を、物理レイヤシグナリングで指示を受けた場合に行うようにしてもよい。より具体的には、基地局１は、フレキシブルサブフレームで送信する下り制御情報（DL Control Information）の所定のビットに、各アンテナポートに対応する第二のＲＳのマッピングパターンを特定する情報を設定することで、ユーザ装置ＵＥに対してマッピングパターンを通知するようにしてもよい。また、ユーザ装置ＵＥは、測定結果を所定のタイミングで基地局１に報告するようにしてもよいし、ＵＬグラントにより上りデータチャネルがスケジューリングされた場合に送信するようにしてもよい。
【００７３】
（第二のＲＳのマッピングパターンの設定について）
第二のＲＳのマッピングパターンは、標準仕様で規定されていてもよいし、報知情報又はユーザ装置ＵＥ個別のシグナリングメッセージ（例えばＲＲＣメッセージ）を用いて基地局１からユーザ装置ＵＥに通知（設定）されるようにしてもよい。また、ＭＡＣシグナリング又はＰＨＹ（物理レイヤ）シグナリングで基地局１からユーザ装置ＵＥに通知（設定）されるようにしてもよい。第二のＲＳの系列についても、標準仕様で規定されていてもよいし、報知情報又はユーザ装置ＵＥ個別のシグナリングメッセージ（例えばＲＲＣメッセージ）を用いて基地局１からユーザ装置ＵＥに通知（設定）されるようにしてもよい。また、ＭＡＣシグナリング又はＰＨＹ（物理レイヤ）シグナリングで基地局１からユーザ装置ＵＥに通知（設定）されるようにしてもよい。
【００７４】
マッピングパターンは、キャリア周波数、サブキャリア間隔、キャリアで想定しているユーザ装置ＵＥの平均移動速度などに応じて異なるマッピングパターンが設定されるようにしてもよい。これにより様々な条件下においても周波数利用効率の劣化を抑制しつつ所望の測定が可能となる。
【００７５】
また、基地局１は、マッピングパターンを、例えばある期間ではマッピングパターンＡ、次の期間ではマッピングパターンＢというように、マッピングパターンをダイナミックに変更するようにしてもよいし、所定のトリガを契機に準静的に変更するようにしてもよい。この場合、基地局１は、どの期間ではどのマッピングパターンが適用されるのかを予めユーザ装置ＵＥに通知しておくようにしてもよいし、変更後のマッピングパターンを、報知情報又はユーザ装置ＵＥ個別のシグナリングメッセージ（例えばＲＲＣメッセージ）を用いてユーザ装置ＵＥに設定するようにしてもよい。
【００７６】
また、第二のＲＳのマッピングパターンとして予め複数のマッピングパターンを規定しておき、基地局１は、いずれかのマッピングパターンで第二のＲＳを送信するようにしてもよい。この場合、どのマッピングパターンで第二のＲＳが送信されているのかをユーザ装置ＵＥ側でブラインド検出できるようにするため、例えば、第二のＲＳは、複数のマッピングパターンの各々で異なる系列を用いて送信されるようにしてもよい。これにより、ユーザ装置ＵＥは、第二のＲＳの系列を特定することで、どのマッピングパターンで第二のＲＳが送信されているのかをブラインド検出することができる。
【００７７】
（測定結果の報告について）
図５のステップＳ１４の処理手順において、ユーザ装置ＵＥは、各アンテナポートに対応づけられる第二のＲＳごとにＤＬの受信品質及び／又はチャネル状態を測定し、上りリンク制御チャネル（上りリンク制御情報）を用いて基地局１に報告する。ユーザ装置ＵＥは、全てのアンテナポート分の測定結果をまとめて基地局１に報告するようにしてもよいし、測定が完了したアンテナポート毎に適宜報告するようにしてもよい。なお、受信品質は、ＲＳＲＱ、ＲＳＲＰ、ＲＳＳＩ又はＳＩＮＲであってもよいし、これらの一部又は全部であってもよい。
【００７８】
また、ユーザ装置ＵＥは、全てのアンテナポートに対応する測定結果を全て基地局１に報告するのではなく、一部のアンテナポートに対応する測定結果のみを基地局１に報告するようにしてもよい。この場合、報告対象のアンテナポートは、基地局１から明示的にユーザ装置ＵＥに指示するようにしてもよいし、ユーザ装置ＵＥ自身で報告対象のアンテナポートを選択するようにしてもよい。後者の場合、ユーザ装置ＵＥは、受信品質が所定の閾値以上であるアンテナポートに絞って受信品質を報告するようにしてもよい。
【００７９】
また、ユーザ装置ＵＥは、所定の時間区間における測定結果の平均値を基地局１に報告するようにしてもよい。例えば、第二のＲＳが１０ｍｓ周期で送信されている場合において、所定の時間区間が３０ｍｓである場合、ユーザ装置ＵＥは、各アンテナポートに対応づけられる第二のＲＳごとにＤＬの受信品質及び／又はチャネル状態を３周期に渡って測定し、測定したアンテナポートごとの受信品質及び／又はチャネル状態の平均値を、アンテナポートごとに基地局１に報告する。
【００８０】
所定の時間区間の長さは、標準仕様で規定されていてもよいし、報知情報又はユーザ装置ＵＥ個別のシグナリングメッセージ（例えばＲＲＣメッセージ）を用いて基地局１からユーザ装置ＵＥに通知（設定）されるようにしてもよい。また、ＭＡＣシグナリング又はＰＨＹ（物理レイヤ）シグナリングで基地局１からユーザ装置ＵＥに通知（設定）されるようにしてもよい。
【００８１】
また、所定の時間区間の長さは、キャリア周波数、サブキャリア間隔、キャリアで想定しているユーザ装置ＵＥの平均移動速度などに応じて異なる時間区間の長さが設定されるようにしてもよい。
【００８２】
また、所定の時間区間の長さは、例えばある期間では「３０ｍｓ」、次の期間では「５０ｍｓ」というようにダイナミックに変更されるようにしてもよいし、所定のトリガを契機に準静的に変更されるようにしてもよい。
【００８３】
また、所定の時間区間の長さとして予め複数のパターンを規定しておき、どのパターンで測定結果を平均して報告するのかをユーザ装置ＵＥ側でブラインド検出できるようにしてもよい。例えば、第二のＲＳは、複数のパターンの各々で異なる系列を用いて送信されるようにしてもよい。これにより、ユーザ装置ＵＥは、第二のＲＳの系列を特定することで、どのパターンで測定結果を平均して報告するのかをブラインド検出することができる。
【００８４】
また、所定の時間区間の長さをユーザ装置ＵＥが自ら選択するようにしてもよい。また、ユーザ装置ＵＥが報告対象のアンテナポート／所定の時間区間を自ら選択する場合、固定サブフレームで送信される同期信号を用いて受信品質を測定することで、又は、第一のＲＳの受信品質の測定結果を用いて、第二のＲＳを測定するアンテナポートを予め絞っておくようにしてもよい。
【００８５】
＜補足事項＞
以上の説明において、「第一のＲＳのマッピングパターン」、「第一のＲＳの送信周期」、「第一のＲＳの系列」、「第一のＲＳの測定結果を平均する所定の時間区間の長さ」、「第二のＲＳのマッピングパターン」、「第二のＲＳの送信周期」、「第二のＲＳの系列」、又は、「第二のＲＳの測定結果を平均する所定の時間区間の長さ」を報知情報、ＲＲＣシグナリング、ＭＡＣシグナリング又はＰＨＹシグナリングで基地局１からユーザ装置ＵＥに通知（設定）する際、設定値そのものを基地局１からユーザ装置ＵＥに通知（設定）するようにしてもよいし、設定値のパターン毎に予め対応づけられたインデックス値を基地局１からユーザ装置ＵＥに通知（設定）するようにしてもよい。これによりシグナリング量を削減可能となる。
【００８６】
基地局１は、図６〜図８を用いて説明した第一のＲＳのマッピングパターン（つまり、固定サブフレームにおいて同期信号と第一のＲＳとが送信されるパターン）と、図９を用いて説明した第一のＲＳのマッピングパターン（第一のＲＳが同期信号を兼ねるパターン）とを併用するようにしてもよい。例えば、基地局１は、ある時間帯では図６〜図８を用いて説明した第一のＲＳのマッピングパターンを適用し、その他の時間帯では図９を用いて説明した第一のＲＳのマッピングパターンを適用するようにしてもよい。この場合、基地局１は、時間帯ごとに適用される第一のＲＳのマッピングパターンをユーザ装置ＵＥに設定しておく。
【００８７】
ユーザ装置ＵＥは、同期処理（時間同期及び周波数同期）を行う際に、第一のＲＳ又は第二のＲＳを用いるようにしてもよい。
【００８８】
＜動作例＞
続いて、図２５を用いて、本実施の形態に係る無線通信システムの動作例を説明する。本動作例では、基地局１はハイブリッド型のＭａｓｓｉｖｅＭＩＭＯ基地局であると仮定する。
【００８９】
まず、基地局１は、図２５（ａ）に示すように、アナログビームフォーミングを用いて、５つのビーム（例えば、アンテナポート＃１〜５）に対応づけられる第一のＲＳを固定サブフレームで送信する。なお、基地局１は、５つのビームを同時に送信するのではなく、時間の経過に応じて順にビームを切り替えながら送信する。
【００９０】
続いてユーザ装置ＵＥは、アンテナポート＃１〜＃５に対応づけられる第一のＲＳごとに測定結果を基地局１に報告する。続いて、基地局１は、ユーザ装置ＵＥから報告された第一のＲＳごとの測定結果（例えば受信電力）に基づいて大まかにビームの方向を決定する。ここでは、図２５（ａ）に示す２つのビームに絞られたと仮定する。続いて、基地局１は、更に詳細なビームの方向を決定するために、決定した大まかなビームの方向の周辺で、アナログビームフォーミングとデジタルビームフォーミングとを併用することで更に細かい粒度の複数のビーム（例えば、アンテナポート＃１１〜１５）に対応づけられる第二のＲＳをフレキシブルサブフレームで送信する。なお、基地局１は、どのフレキシブルサブフレームで第二のＲＳを送信するのかを、ＲＲＣシグナリング等を用いてユーザ装置ＵＥに予め通知しておく。
【００９１】
続いてユーザ装置ＵＥは、アンテナポート＃１０〜＃１５に対応づけられる第二のＲＳごとに測定結果を基地局１に報告する。続いて、基地局１は、ユーザ装置ＵＥから報告された第二のＲＳごとの測定結果（例えば受信電力）に基づいて最終的なビームの方向を決定する。なお、基地局１は、周期的に第一のＲＳ及び第二のＲＳごとの測定結果を報告するようにユーザ装置ＵＥに指示してもよい。これにより、ユーザ装置ＵＥが移動した場合であっても、ビームの方向を追従させることができる。
【００９２】
＜機能構成＞
（基地局）
図２６は、実施の形態に係る基地局の機能構成の一例を示す図である。図２６に示すように、基地局１は、信号送信部１０１と、信号受信部１０２と、設定部１０３と、制御部１０４とを有する。なお、図２６は、基地局１において本発明の実施の形態に特に関連する機能部のみを示すものであり、少なくとも５Ｇ（ＬＴＥを含む）に準拠した動作を行うための図示しない機能も有するものである。また、図２６に示す機能構成は一例に過ぎない。本実施の形態に係る動作を実行できるのであれば、機能区分及び機能部の名称はどのようなものでもよい。
【００９３】
信号送信部１０１は、基地局１から送信されるべき上位のレイヤの信号から、物理レイヤの各種信号を生成し、無線送信する機能を含む。また、信号送信部１０１は、第一のＲＳ及び第二のＲＳを送信する機能を有する。信号受信部１０２は、ユーザ装置ＵＥから各種の無線信号を受信し、受信した物理レイヤの信号からより上位のレイヤの信号を取得する機能を含む。
【００９４】
設定部１０３は、ユーザ装置ＵＥが本実施の形態に係る動作を行うために用いる各種情報を、報知情報又はＲＲＣシグナリングを用いてユーザ装置ＵＥに設定する機能を有する。なお、当該各種情報は、例えば、「第一のＲＳのマッピングパターン」、「第一のＲＳの送信周期」、「第一のＲＳの系列」、「第一のＲＳの測定結果を平均する所定の時間区間の長さ」、「第二のＲＳのマッピングパターン」、「第二のＲＳの送信周期」、「第二のＲＳの系列」、及び／又は、「第二のＲＳの測定結果を平均する所定の時間区間の長さ」である。
【００９５】
制御部１０４は、ユーザ装置ＵＥから報告される測定結果に基づいてビームの向きを制御する機能を有する。また、制御部１０４は、第一のＲＳ及び第二ＲＳを送信する周期、第一のＲＳ及び第二ＲＳのマッピングパターンを決定及び変更する機能を有する。
【００９６】
（ユーザ装置）
図２７は、実施の形態に係るユーザ装置の機能構成の一例を示す図である。図２７に示すように、ユーザ装置ＵＥは、信号送信部２０１と、信号受信部２０２と、ＲＳ構成管理部２０３と、測定部２０４と、報告部２０５とを有する。なお、図２７は、ユーザ装置ＵＥにおいて本発明の実施の形態に特に関連する機能部のみを示すものであり、少なくとも５Ｇ（ＬＴＥを含む）に準拠した動作を行うための図示しない機能も有するものである。また、図２７に示す機能構成は一例に過ぎない。本実施の形態に係る動作を実行できるのであれば、機能区分及び機能部の名称はどのようなものでもよい。
【００９７】
信号送信部２０１は、ユーザ装置ＵＥから送信されるべき上位のレイヤの信号から、物理レイヤの各種信号を生成し、無線送信する機能を含む。信号受信部２０２は、基地局１から各種の信号を無線受信し、受信した物理レイヤの信号からより上位のレイヤの信号を取得する機能を含む。
【００９８】
ＲＳ構成管理部２０３は、標準仕様で規定された、又は、報知情報、ＲＲＣシグナリング、ＭＡＣシグナリング若しくはＰＨＹシグナリングで設定された「第一のＲＳのマッピングパターン」、「第一のＲＳの送信周期」、「第一のＲＳの系列」、「第一のＲＳの測定結果を平均する所定の時間区間の長さ」、「第二のＲＳのマッピングパターン」、「第二のＲＳの送信周期」、「第二のＲＳの系列」、及び、「第二のＲＳの測定結果を平均する所定の時間区間の長さ」を管理する機能を有する。
【００９９】
測定部２０４は、ＲＳ構成管理部２０３で管理されている「第一のＲＳのマッピングパターン」、「第一のＲＳの送信周期」、「第一のＲＳの系列」、「第二のＲＳのマッピングパターン」、「第二のＲＳの送信周期」、及び「第二のＲＳの系列」に基づいて、第一のＲＳが送信される無線リソース、及び第二のＲＳが送信される無線リソースを認識し、受信品質及び／又はチャネル状態を測定する機能を有する。また、測定部２０４は、第一の測定部２０４１及び第二の測定部２０４２を含む。
【０１００】
第一の測定部２０４１は、所定の時間区間で区切られた無線フレームのうち、周期的に設定される時間区間（固定サブフレーム）で送信される第一のＲＳを用いて受信品質及び／又はチャネル状態を測定する機能を有する。
【０１０１】
第二の測定部２０４２は、所定の時間区間で区切られた無線フレームのうち、周期的に設定される時間区間（固定サブフレーム）以外の任意の時間区間（フレキシブルサブフレーム）で送信される第二のＲＳを用いて受信品質及び／又はチャネル状態を測定する機能を有する。
【０１０２】
報告部２０５は、第一のＲＳを用いて測定された受信品質又はチャネル情報と、前記第二のＲＳを用いて測定された受信品質又はチャネル情報とを基地局１に報告する機能を有する。
【０１０３】
＜ハードウェア構成＞
上記実施の形態の説明に用いたブロック図（図２６及び図２７）は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に結合した１つの装置により実現されてもよいし、物理的及び／又は論理的に分離した２つ以上の装置を直接的及び／又は間接的に（例えば、有線及び／又は無線）で接続し、これら複数の装置により実現されてもよい。
【０１０４】
例えば、本発明の一実施の形態における基地局１、ユーザ装置ＵＥは、本発明の測定方法の処理を行うコンピュータとして機能してもよい。図２８は、実施の形態に係る基地局１及びユーザ装置ＵＥのハードウェア構成の一例を示す図である。上述の基地局１及びユーザ装置ＵＥは、物理的には、プロセッサ１００１、メモリ１００２、ストレージ１００３、通信装置１００４、入力装置１００５、出力装置１００６、バス１００７などを含むコンピュータ装置として構成されてもよい。
【０１０５】
なお、以下の説明では、「装置」という文言は、回路、デバイス、ユニットなどに読み替えることができる。基地局１及びユーザ装置ＵＥのハードウェア構成は、図に示した各装置を１つ又は複数含むように構成されてもよいし、一部の装置を含まずに構成されてもよい。
【０１０６】
基地局１及びユーザ装置ＵＥにおける各機能は、プロセッサ１００１、メモリ１００２などのハードウェア上に所定のソフトウェア（プログラム）を読み込ませることで、プロセッサ１００１が演算を行い、通信装置１００４による通信、メモリ１００２及びストレージ１００３におけるデータの読み出し及び／又は書き込みを制御することで実現される。
【０１０７】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）で構成されてもよい。例えば、基地局１の信号送信部１０１と、信号受信部１０２と、設定部１０３と、制御部１０４と、ユーザ装置ＵＥの信号送信部２０１と、信号受信部２０２と、ＲＳ構成管理部２０３と、測定部２０４と、報告部２０５とは、プロセッサ１００１で実現されてもよい。
【０１０８】
また、プロセッサ１００１は、プログラム（プログラムコード）、ソフトウェアモジュール又はデータを、ストレージ１００３及び／又は通信装置１００４からメモリ１００２に読み出し、これらに従って各種の処理を実行する。プログラムとしては、上述の実施の形態で説明した動作の少なくとも一部をコンピュータに実行させるプログラムが用いられる。例えば、基地局１の信号送信部１０１と、信号受信部１０２と、設定部１０３と、制御部１０４と、ユーザ装置ＵＥの信号送信部２０１と、信号受信部２０２と、ＲＳ構成管理部２０３と、測定部２０４と、報告部２０５とは、メモリ１００２に格納され、プロセッサ１００１で動作する制御プログラムによって実現されてもよく、他の機能ブロックについても同様に実現されてもよい。上述の各種処理は、１つのプロセッサ１００１で実行される旨を説明してきたが、２以上のプロセッサ１００１により同時又は逐次に実行されてもよい。プロセッサ１００１は、１以上のチップで実装されてもよい。なお、プログラムは、電気通信回線を介してネットワークから送信されても良い。
【０１０９】
メモリ１００２は、コンピュータ読み取り可能な記録媒体であり、例えば、ＲＯＭ（Read  Only  Memory）、ＥＰＲＯＭ（Erasable  Programmable  ＲＯＭ）、ＥＥＰＲＯＭ（Electrically Erasable Programmable ＲＯＭ）、ＲＡＭ（Random  Access  Memory）などの少なくとも１つで構成されてもよい。メモリ１００２は、レジスタ、キャッシュ、メインメモリ（主記憶装置）などと呼ばれてもよい。メモリ１００２は、本発明の一実施の形態に係る測定方法を実施するために実行可能なプログラム（プログラムコード）、ソフトウェアモジュールなどを保存することができる。
【０１１０】
ストレージ１００３は、コンピュータ読み取り可能な記録媒体であり、例えば、ＣＤ−ＲＯＭ（Compact  Disc  ＲＯＭ）などの光ディスク、ハードディスクドライブ、フレキシブルディスク、光磁気ディスク（例えば、コンパクトディスク、デジタル多用途ディスク、Ｂｌｕ−ｒａｙ（登録商標）ディスク）、スマートカード、フラッシュメモリ（例えば、カード、スティック、キードライブ）、フロッピー（登録商標）ディスク、磁気ストリップなどの少なくとも１つで構成されてもよい。ストレージ１００３は、補助記憶装置と呼ばれてもよい。上述の記憶媒体は、例えば、メモリ１００２及び／又はストレージ１００３を含むデータベース、サーバその他の適切な媒体であってもよい。
【０１１１】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。例えば、基地局１の信号送信部１０１、及び、信号受信部１０２、ユーザ装置ＵＥの信号送信部２０１、及び、信号受信部２０２は、通信装置１００４で実現されてもよい。
【０１１２】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、LEDランプなど）である。なお、入力装置１００５及び出力装置１００６は、一体となった構成（例えば、タッチパネル）であってもよい。
【０１１３】
また、プロセッサ１００１及びメモリ１００２などの各装置は、情報を通信するためのバス１００７で接続される。バス１００７は、単一のバスで構成されてもよいし、装置間で異なるバスで構成されてもよい。
【０１１４】
また、基地局１及びユーザ装置ＵＥは、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアにより、各機能ブロックの一部又は全てが実現されてもよい。例えば、プロセッサ１００１は、これらのハードウェアの少なくとも１つで実装されてもよい。
【０１１５】
＜まとめ＞
以上、実施の形態によれば、基地局とユーザ装置とを有する無線通信システムにおけるユーザ装置であって、所定の時間区間で区切られた無線フレームのうち、周期的に設定される時間区間で送信される第一の参照信号を用いて受信品質又はチャネル情報を測定する第一の測定部と、前記所定の時間区間で区切られた無線フレームのうち、前記周期的に設定される時間区間以外の任意の時間区間で送信される第二の参照信号を用いて受信品質又はチャネル情報を測定する第二の測定部と、前記第一の参照信号を用いて測定された受信品質又はチャネル情報と、前記第二の参照信号を用いて測定された受信品質又はチャネル情報とを前記基地局に報告する報告部と、を有するユーザ装置が提供される。このユーザ装置ＵＥによれば、ユーザ装置が参照信号を測定し、測定結果を基地局にフィードバックすることが可能な技術が提供される。
【０１１６】
また、前記第一の参照信号は、異なるアンテナポートに対応づけられる参照信号の各々が時間多重されて送信されるようにしてもよい。これにより、基地局１は、時間の経過に応じて、ビームを順に切替えながら第一のＲＳを送信することができる。
【０１１７】
また、前記第一の参照信号は、複数の周期パターンのうちいずれかの周期パターンで送信され、前記複数の周期パターンの各々で異なる系列を用いて送信されるようにしてもよい。これにより、ユーザ装置ＵＥは、第一のＲＳが送信される周期をブラインド検出することが可能になる。
【０１１８】
また、前記第二の参照信号は、異なるアンテナポートに対応づけられる参照信号が、周波数多重、符号多重又は時間多重されて送信され、前記第二の参照信号に対応づけられるアンテナポートは、前記第一の参照信号に対応づけられるアンテナポートとは異なるようにしてもよい。これにより、基地局１は、第二のＲＳを様々な多重方法で送信することができる。
【０１１９】
また、前記任意の時間区間において前記第二の参照信号が送信される無線リソースは、前記任意の時間区間において前記基地局から送信される下り制御情報で通知されるようにしてもよい。これにより、基地局１は、第二のＲＳのマッピングパターンを、サブフレーム単位でダイナミックにユーザ装置ＵＥに通知することが可能になる。
【０１２０】
また、実施の形態によれば、基地局とユーザ装置とを有する無線通信システムにおけるユーザ装置が実行する測定方法であって、所定の時間区間で区切られた無線フレームのうち、周期的に設定される時間区間で送信される第一の参照信号を用いて受信品質又はチャネル情報を測定するステップと、前記所定の時間区間で区切られた無線フレームのうち、前記周期的に設定される時間区間以外の任意の時間区間で送信される第二の参照信号を用いて受信品質又はチャネル情報を測定するステップと、前記第一の参照信号を用いて測定された受信品質又はチャネル情報と、前記第二の参照信号を用いて測定された受信品質又はチャネル情報とを前記基地局に報告するステップと、を有する測定方法が提供される。この測定方法によれば、ユーザ装置が参照信号を測定し、測定結果を基地局にフィードバックすることが可能な技術が提供される。
【０１２１】
＜実施形態の補足＞
本実施の形態では、周波数方向の１ＲＢは１２サブキャリアであり、１ＴＴＩは１４シンボルである前提で説明したが、これに限られない。周波数方向の１ＲＢは１２サブキャリア以外の数のサブキャリアを単位としてもよいし、１４シンボル以外の数のシンボルを単位としてもよい。
【０１２２】
本実施の形態では第一のＲＳアンテナポート数、第二のＲＳのアンテナポート数がそれぞれ８である前提で説明したが、これに限られない。１６等の８より多い値でも良いし、４等の８より少ない値でも良い。
【０１２３】
サブフレームは、時間区間と呼ばれてもよい。固定サブフレームは、同期信号又は報知情報のいずれか一方、若しくはその両方がマッピングされているサブフレームまたは時間区間と呼ばれてもよい。フレキシブルサブフレームは、データ信号がマッピングされているサブフレーム又は時間区間と呼ばれてもよい。ビームはアンテナポートと呼ばれてもよい。
【０１２４】
デジタルビームは、１又は複数のアンテナポートをまとめたものの総称としてもよい。アナログビームに紐づくＲＳを第一のＲＳ（第一のＲＳ群）、デジタルビームに紐づくＲＳを第二のＲＳ（第二のＲＳ群）としてもよい。
【０１２５】
ＰＤＳＣＨは、下りリンク共有チャネル、又は下りリンクデータチャネルと呼ばれてもよい。ＤＭＲＳは、データ復調用参照信号と呼ばれてもよい。セルＩＤは、セル固有インデックスと呼ばれてもよい。ＲＢは、リソースユニット、サブバンド、スケジューリングユニット、周波数ユニットと呼ばれてもよい。ＴＴＩは、タイムユニット、又はサブフレームと呼ばれてもよい。
【０１２６】
ＰＳＳ／ＳＳＳは第一／第二の同期用信号と呼ばれてもよいし、これらを区別せずに同期信号と呼ばれてもよい。ＵＣＩ（Uplink  Control  Information）は上りリンク制御情報と呼ばれてもよい。ＰＵＳＣＨは、物理上りリンク共有チャネル、又は上りリンクデータチャネルと呼ばれてもよい。ＰＵＣＣＨは、物理上りリンク制御チャネル、又は上りリンク制御チャネルと呼ばれてもよい。
【０１２７】
本実施の形態では、１ＲＢは、ＬＴＥの例を踏まえて１２サブキャリアから構成されている前提で説明したが、これに限られず、５ＧのＮｅｗＲＡＴで規定される数のサブキャリアから構成されるＲＢを含む。また、１ＴＴＩは、ＬＴＥの例を踏まえて１４シンボルから構成されている前提で説明したが、これに限られず、５ＧのＮｅｗＲＡＴで規定される数のシンボルから構成されるＴＴＩ長を含む。
【０１２８】
情報の通知は、本明細書で説明した態様／実施形態に限られず、他の方法で行われてもよい。例えば、情報の通知は、物理レイヤシグナリング（例えば、ＤＣＩ、ＵＣＩ）、上位レイヤシグナリング（例えば、ＲＲＣシグナリング、ＭＡＣシグナリング、報知情報（ＭＩＢ（Master  Information  Block）、ＳＩＢ（System  Information  Block）））、その他の信号又はこれらの組み合わせによって実施されてもよい。また、ＲＲＣシグナリングは、ＲＲＣメッセージと呼ばれてもよく、例えば、ＲＲＣ接続セットアップ（RRC Connection Setup）メッセージ、ＲＲＣ接続再構成（RRC Connection Reconfiguration）メッセージなどであってもよい。
【０１２９】
本明細書で説明した各態様／実施形態は、ＬＴＥ、ＬＴＥ−Ａ（LTE-Advanced）、ＳＵＰＥＲ  ３Ｇ、ＩＭＴ−Ａｄｖａｎｃｅｄ、４Ｇ、５Ｇ、ＦＲＡ（Future  Radio  Access）、Ｗ−ＣＤＭＡ（登録商標）、ＧＳＭ（登録商標）、ＣＤＭＡ２０００、ＵＭＢ（Ultra  Mobile  Broadband）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、ＵＷＢ（Ultra-WideBand）、Ｂｌｕｅｔｏｏｔｈ（登録商標）、その他の適切なシステムを利用するシステム及び／又はこれらに基づいて拡張された次世代システムに適用されてもよい。
【０１３０】
本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【０１３１】
本明細書において基地局によって行われるとした特定動作は、場合によってはその上位ノード（upper node）によって行われることもある。基地局を有する１つまたは複数のネットワークノード（network nodes）からなるネットワークにおいて、端末との通信のために行われる様々な動作は、基地局および／または基地局以外の他のネットワークノード（例えば、MMEまたはS-GWなどが考えられるが、これらに限られない）によって行われ得ることは明らかである。上記において基地局以外の他のネットワークノードが１つである場合を例示したが、複数の他のネットワークノードの組み合わせ（例えば、MMEおよびS-GW）であってもよい。
【０１３２】
入出力された情報等は特定の場所（例えば、メモリ）に保存されてもよいし、管理テーブルで管理してもよい。入出力される情報等は、上書き、更新、または追記され得る。出力された情報等は削除されてもよい。入力された情報等は他の装置へ送信されてもよい。
【０１３３】
本明細書で説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０１３４】
参照信号は、適用される標準によってパイロット（Pilot）と呼ばれてもよい。
【０１３５】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０１３６】
本明細書で使用する「第一の」、「第二の」などの呼称を使用した要素へのいかなる参照も、それらの要素の量または順序を全般的に限定するものではない。これらの呼称は、２つ以上の要素間を区別する便利な方法として本明細書で使用され得る。したがって、第１および第２の要素への参照は、２つの要素のみがそこで採用され得ること、または何らかの形で第１の要素が第２の要素に先行しなければならないことを意味しない。
【０１３７】
「含む（ｉｎｃｌｕｄｉｎｇ）」、「含んでいる（ｃｏｍｐｒｉｓｉｎｇ）」、およびそれらの変形が、本明細書あるいは特許請求の範囲で使用されている限り、これら用語は、用語「備える」と同様に、包括的であることが意図される。さらに、本明細書あるいは特許請求の範囲において使用されている用語「または（or）」は、排他的論理和ではないことが意図される。
【０１３８】
無線フレームは時間領域において１つまたは複数のフレームで構成されてもよい。時間領域において１つまたは複数の各フレームはサブフレームと呼ばれてもよい。サブフレームは更に時間領域において１つまたは複数のスロットで構成されてもよい。スロットはさらに時間領域において１つまたは複数のシンボル（ＯＦＤＭシンボル、ＳＣ-ＦＤＭＡシンボル等）で構成されてもよい。
【０１３９】
無線フレーム、サブフレーム、スロット、およびシンボルは、いずれも信号を伝送する際の時間単位を表す。無線フレーム、サブフレーム、スロット、およびシンボルは、それぞれに対応する別の呼び方であってもよい。例えば、ＬＴＥシステムでは、基地局が各移動局に無線リソース（各移動局において使用することが可能な周波数帯域幅及び送信電力等）を割り当てるスケジューリングを行う。
【０１４０】
スケジューリングの最小時間単位をＴＴＩと呼んでもよい。例えば、1サブフレームをＴＴＩと呼んでもよいし、複数の連続したサブフレームをＴＴＩと呼んでもよいし、１スロットをＴＴＩと呼んでもよい。
【０１４１】
リソースブロック（ＲＢ）は、時間領域および周波数領域のリソース割当単位であり、周波数領域では１つまたは複数個の連続した副搬送波（ｓｕｂｃａｒｒｉｅｒ）を含んでもよい。また、リソースブロックの時間領域では、１つまたは複数個のシンボルを含んでもよく、１スロット、１サブフレーム、または１ＴＴＩの長さであってもよい。１ＴＴＩ、１サブフレームは、それぞれ１つまたは複数のリソースブロックで構成されてもよい。
上述した無線フレームの構造は例示に過ぎず、無線フレームに含まれるサブフレームの数、サブフレームに含まれるスロットの数、スロットに含まれるシンボルおよびリソースブロックの数、および、リソースブロックに含まれるサブキャリアの数は様々に変更することができる。
【０１４２】
以上、本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【０１４３】
判定又は判断は、１ビットで表される値（０か１か）によって行われてもよいし、真偽値（Boolean：trueまたはfalse）によって行われてもよいし、数値の比較（例えば、所定の値との比較）によって行われてもよい。
【０１４４】
なお、本明細書で説明した用語及び／又は本明細書の理解に必要な用語については、同一の又は類似する意味を有する用語と置き換えてもよい。例えば、チャネル及び／又はシンボルは信号（シグナル）であってもよい。また、信号はメッセージであってもよい。
【０１４５】
ＵＥは、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、またはいくつかの他の適切な用語で呼ばれる場合もある。
【０１４６】
本明細書で説明した各態様／実施形態は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、当該所定の情報の通知を行わない）ことによって行われてもよい。
【０１４７】
本明細書で使用する「判断(determining)」、「決定(determining)」という用語は、多種多様な動作を包含する場合がある。「判断」、「決定」は、例えば、計算(calculating)、算出(computing)、処理(processing)、導出(deriving)、調査(investigating)、探索(looking up)（例えば、テーブル、データベースまたは別のデータ構造での探索）、確認(ascertaining)した事を「判断」「決定」したとみなす事などを含み得る。また、「判断」、「決定」は、受信(receiving)（例えば、情報を受信すること）、送信(transmitting)(例えば、情報を送信すること)、入力(input)、出力(output)、アクセス(accessing)（例えば、メモリ中のデータにアクセスすること）した事を「判断」「決定」したとみなす事などを含み得る。また、「判断」、「決定」は、解決(resolving)、選択(selecting)、選定(choosing)、確立(establishing)、比較(comparing)などした事を「判断」「決定」したとみなす事を含み得る。つまり、「判断」「決定」は、何らかの動作を「判断」「決定」したとみなす事を含み得る。
【０１４８】
所定の情報の通知（例えば、「Ｘであること」の通知）は、明示的に行うものに限られず、暗黙的（例えば、当該所定の情報の通知を行わない）ことによって行われてもよい。
【０１４９】
本特許出願は２０１６年５月１２日に出願した日本国特許出願第２０１６−０９６５７１号に基づきその優先権を主張するものであり、日本国特許出願第２０１６−０９６５７１号の全内容を本願に援用する。
【符号の説明】
【０１５０】
１  基地局
ＵＥ  ユーザ装置
１０１  信号送信部
１０２  信号受信部
１０３  設定部
１０４  制御部
２０１  信号送信部
２０２  信号受信部
２０３  ＲＳ構成管理部
２０４  測定部
２０４１  第一の測定部
２０４２  第二の測定部
２０５  報告部
１００１  プロセッサ
１００２  メモリ
１００３  ストレージ
１００４  通信装置
１００５  入力装置
１００６  出力装置
【図１Ａ】
2017195490.tif 000003
【図１Ｂ】
2017195490.tif 000004
【図２】
2017195490.tif 000005
【図３】
2017195490.tif 000006
【図４】
2017195490.tif 000007
【図５】
2017195490.tif 000008
【図６】
2017195490.tif 000009
【図７】
2017195490.tif 000010
【図８】
2017195490.tif 000011
【図９】
2017195490.tif 000012
【図１０】
2017195490.tif 000013
【図１１】
2017195490.tif 000014
【図１２】
2017195490.tif 000015
【図１３】
2017195490.tif 000016
【図１４】
2017195490.tif 000017
【図１５】
2017195490.tif 000018
【図１６】
2017195490.tif 000019
【図１７】
2017195490.tif 000020
【図１８】
2017195490.tif 000021
【図１９】
2017195490.tif 000022
【図２０】
2017195490.tif 000023
【図２１】
2017195490.tif 000024
【図２２】
2017195490.tif 000025
【図２３】
2017195490.tif 000026
【図２４】
2017195490.tif 000027
【図２５】
2017195490.tif 000028
【図２６】
2017195490.tif 000029
【図２７】
2017195490.tif 000030
【図２８】
2017195490.tif 000031
【手続補正書】
【提出日】平成30年11月9日(2018.11.9)
【手続補正１】
【補正対象書類名】特許請求の範囲
【補正対象項目名】全文
【補正方法】変更
【補正の内容】
【特許請求の範囲】
【請求項１】
周期的に基地局から送信されるセル固有の第一の参照信号と、周期的又は非周期的に前記基地局から送信されるユーザ装置固有の第二の参照信号とを受信する受信部と、
前記第一の参照信号に基づく測定結果と、前期第二の参照信号に基づく測定結果とに基づいた報告を前記基地局に送信する送信部と、
を有するユーザ装置。
【請求項２】
前記第一の参照信号は、同期に用いられる請求項１記載のユーザ装置。
【請求項３】
前記第一の参照信号に対応するアンテナポートと、前記第二の参照信号に対応するアンテナポートとが異なる請求項１記載のユーザ装置。
【請求項４】
前記第二の参照信号が送信される無線リソースは、前記基地局から送信される上位レイヤシグナリングで通知される請求項１に記載のユーザ装置。
【請求項５】
周期的に基地局から送信されるセル固有の第一の参照信号と、周期的又は非周期的に前記基地局から送信されるユーザ装置固有の第二の参照信号を受信するステップと、
前記第一の参照信号に基づく測定結果と、前記第二の参照信号に基づく測定結果とに基づいた報告を前記基地局に送信するステップと、
を有する測定方法。
【手続補正２】
【補正対象書類名】明細書
【補正対象項目名】０００８
【補正方法】変更
【補正の内容】
【０００８】
開示の技術のユーザ装置は、周期的に基地局から送信されるセル固有の第一の参照信号と、周期的又は非周期的に前記基地局から送信されるユーザ装置固有の第二の参照信号とを受信する受信部と、前記第一の参照信号に基づく測定結果と、前期第二の参照信号に基づく測定結果とに基づいた報告を前記基地局に送信する送信部と、を有する。
【国際調査報告】
2017195490.tif 000032
2017195490.tif 000033
2017195490.tif 000034
2017195490.tif 000035